(57)【要約】  参照信号が動的にトリガされる場合であっても通信を適切に制御するために、本開示の一態様に係るユーザ端末は、下り共有チャネルとチャネル状態情報（ＣＳＩ）用参照信号を受信する受信部と、前記下り共有チャネルのスケジュールに利用される第１の下り制御情報と前記ＣＳＩ用参照信号のトリガに利用される第２の下り制御情報とがそれぞれ送信されるセル、前記第２の下り制御情報と前記ＣＳＩ用参照信号がそれぞれ送信されるセル、及び前記第１の下り制御情報と前記第２の下り制御情報によりそれぞれ指定されるリソース、の少なくとも一つに基づいて前記下り共有チャネルの受信処理を制御する制御部と、を有する。
2020035953.tif 000002
【特許請求の範囲】
【請求項１】
下り共有チャネルとチャネル状態情報（ＣＳＩ）用参照信号を受信する受信部と、
前記下り共有チャネルのスケジュールに利用される第１の下り制御情報と前記ＣＳＩ用参照信号のトリガに利用される第２の下り制御情報とがそれぞれ送信されるセル、前記第２の下り制御情報と前記ＣＳＩ用参照信号がそれぞれ送信されるセル、及び前記第１の下り制御情報と前記第２の下り制御情報によりそれぞれ指定されるリソース、の少なくとも一つに基づいて前記下り共有チャネルの受信処理を制御する制御部と、を有することを特徴とするユーザ端末。
【請求項２】
前記制御部は、前記第２の下り制御情報が送信されるセルと前記第２の下り制御情報に基づいて前記ＣＳＩ用参照信号がトリガされるセルが異なり、前記下り共有チャネルと前記ＣＳＩ用参照信号のリソースが重複する場合、前記下り共有チャネルがレートマッチングされないと想定して受信処理を行うことを特徴とする請求項１に記載のユーザ端末。
【請求項３】
前記制御部は、所定のＵＥ能力のサポート有無、又は所定のＵＥ能力に対する基地局からの設定有無に基づいて、前記下り共有チャネルのレートマッチング有無を判断することを特徴とする請求項１又は請求項２に記載のユーザ端末。
【請求項４】
前記制御部は、前記第１の下り制御情報と前記第２の下り制御情報が異なるセルで送信される場合、前記下り共有チャネル用のリソースと前記ＣＳＩ用参照信号用のリソースが重複しないと想定することを特徴とする請求項１から請求項３のいずれかに記載のユーザ端末。
【請求項５】
前記制御部は、異なるセルで送信される前記第１の下り制御情報と前記第２の下り制御情報が重複するリソースを指定する場合、又は別々に送信される前記第１の下り制御情報と前記第２の下り制御情報が重複するリソースを指定する場合に、設定されるプロセス時間に基づいて受信処理を制御することを特徴とする請求項１から請求項４のいずれかに記載のユーザ端末。
【請求項６】
下り共有チャネルとチャネル状態情報（ＣＳＩ）用参照信号を受信する工程と、
前記下り共有チャネルのスケジュールに利用される第１の下り制御情報と前記ＣＳＩ用参照信号のトリガに利用される第２の下り制御情報とがそれぞれ送信されるセル、前記第２の下り制御情報と前記ＣＳＩ用参照信号がそれぞれ送信されるセル、及び前記第１の下り制御情報と前記第２の下り制御情報によりそれぞれ指定されるリソース、の少なくとも一つに基づいて前記下り共有チャネルの受信処理を制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）においては、ＵＥからｅＮＢに対して、上りリンク信号が適切な無線リソースにマッピングされて送信される。上りユーザデータは、上りリンク共有チャネル（ＰＵＳＣＨ：Physical  Uplink  Shared  Channel）を用いて送信される。また、上りリンク制御情報（ＵＣＩ：Uplink  Control  Information）は、上りユーザデータと共に送信される場合はＰＵＳＣＨを用いて、単独で送信される場合は上りリンク制御チャネル（ＰＵＣＣＨ：Physical  Uplink  Control  Channel）を用いて送信される。【０００４】
ＵＣＩに含まれるチャネル状態情報（ＣＳＩ：Channel  State  Information）は、下りリンクの瞬時のチャネル状態に基づく情報であり、例えば、チャネル品質指示子（ＣＱＩ：Channel  Quality  Indicator）、プリコーディング行列指示子（ＰＭＩ：Precoding  Matrix  Indicator）、プリコーディングタイプ指示子（ＰＴＩ：Precoding  Type  Indicator）、ランク指示子（ＲＩ：Rank  Indicator）などである。ＣＳＩは、周期的又は非周期的に、ＵＥからｅＮＢに通知される。【０００５】
周期的ＣＳＩ（Ｐ−ＣＳＩ：Periodic  CSI）は、無線基地局から通知された周期及び／又はリソースに基づいて、ＵＥが周期的にＣＳＩを送信する。一方で、非周期的ＣＳＩ（Ａ−ＣＳＩ：Aperiodic  CSI）は、無線基地局からのＣＳＩ報告要求（トリガ、ＣＳＩトリガ、ＣＳＩリクエストなどともいう）に応じて、ＵＥがＣＳＩを送信する。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ）においては、既存のＬＴＥシステム（例えば、ＬＴＥ  Ｒｅｌ．１３以前）とは異なる構成を用いたＣＳＩ報告が検討されている。【０００８】
例えば、基地局は、Ａ−ＣＳＩ測定に利用する参照信号（Ａ−ＣＳＩ−ＲＳ）をＵＥに動的に通知（例えば、トリガ）し、当該Ａ−ＣＳＩ−ＲＳに基づいて測定及び報告を制御することが検討されている。これにより、必要な場合にＵＥに動的に参照信号用のリソース（ＲＳリソースとも呼ぶ）の割当てが可能となる。【０００９】
一方で、参照信号（例えば、ＲＳリソース）がＵＥに動的に通知される場合、当該ＲＳリソースと他の信号又はチャネルが重複（又は、衝突）するケースも考えられる。しかしながら、当該衝突をどのように取り扱うかについては、まだ十分に検討されていない。【００１０】
そこで、本開示は、参照信号が動的にトリガされる場合であっても通信を適切に制御できるユーザ端末及び無線通信方法を提供することを目的の１つとする。
【課題を解決するための手段】
【００１１】
本開示の一態様に係るユーザ端末は、下り共有チャネルとチャネル状態情報（ＣＳＩ）用参照信号を受信する受信部と、前記下り共有チャネルのスケジュールに利用される第１の下り制御情報と前記ＣＳＩ用参照信号のトリガに利用される第２の下り制御情報とがそれぞれ送信されるセル、前記第２の下り制御情報と前記ＣＳＩ用参照信号がそれぞれ送信されるセル、及び前記第１の下り制御情報と前記第２の下り制御情報によりそれぞれ指定されるリソース、の少なくとも一つに基づいて前記下り共有チャネルの受信処理を制御する制御部と、を有することを特徴とする。
【発明の効果】
【００１２】
本開示の一態様によれば、参照信号が動的にトリガされる場合であっても通信を適切に制御することができる。
【図面の簡単な説明】
【００１３】
【図１】図１は、ＰＤＳＣＨとＣＳＩ−ＲＳが同じリソースに設定される場合の一例を示す図である。
【図２】図２は、ＰＤＳＣＨとＣＳＩ−ＲＳが同じリソースに設定される場合の受信処理の一例を示す図である。
【図３】図３は、ＰＤＳＣＨとＣＳＩ−ＲＳが同じリソースに設定される場合の受信処理の他の例を示す図である。
【図４】図４は、所定ケースに適用するプロセス時間の一例を示す図である。
【図５】図５は、一実施形態に係る無線通信システムの概略構成の一例を示す図である。
【図６】図６は、一実施形態に係る基地局の全体構成の一例を示す図である。
【図７】図７は、一実施形態に係る基地局の機能構成の一例を示す図である。
【図８】図８は、一実施形態に係るユーザ端末の全体構成の一例を示す図である。
【図９】図９は、一実施形態に係るユーザ端末の機能構成の一例を示す図である。
【図１０】図１０は、一実施形態に係る基地局及びユーザ端末のハードウェア構成の一例を示す図である。
【発明を実施するための形態】
【００１４】
既存のＬＴＥシステム（例えば、Ｒｅｌ．１０−１４）では、下りリンクにおいてチャネル状態を測定する参照信号が規定されている。チャネル状態測定用の参照信号は、ＣＲＳ（Cell-specific  Reference  Signal）、ＣＳＩ−ＲＳ（Channel  State  Information-Reference  Signal）とも呼ばれ、チャネル状態としてのＣＱＩ（Channel  Quality  Indicator）、ＰＭＩ（Precoding  Matrix  Indicator）、ＲＩ（Rank  Indicator）等のＣＳＩの測定に用いられる参照信号である。
【００１５】
ＵＥは、当該チャネル状態測定用の参照信号に基づいて測定した結果をチャネル状態情報（ＣＳＩ）として基地局（ネットワーク、ｅＮＢ、ｇＮＢ、送受信ポイントなどであってもよい）に所定タイミングでフィードバックする。ＣＳＩのフィードバック方法として、周期的なＣＳＩ報告（Ｐ−ＣＳＩ）と非周期的なＣＳＩ報告（Ａ−ＣＳＩ）が規定されている。
【００１６】
ＵＥは、Ｐ−ＣＳＩ報告を行う場合、所定周期（例えば、５サブフレーム周期、１０サブフレーム周期など）毎にＰ−ＣＳＩのフィードバックを行う。ＵＥは、Ｐ−ＣＳＩを所定セル（例えば、プライマリセル（ＰＣｅｌｌ）、ＰＵＣＣＨセル、プライマリセカンダリセル（ＰＳＣｅｌｌ））の上り制御チャネルを用いて送信を行う。
【００１７】
ＵＥは、Ｐ−ＣＳＩの報告を行う所定タイミング（所定サブフレーム）において上りデータ（例えば、ＰＵＳＣＨ）送信がない場合、上り制御チャネル（例えば、ＰＵＣＣＨ）を用いてＰ−ＣＳＩを送信する。一方で、ＵＥは、所定タイミングにおいて上りデータ送信がある場合、上り共有チャネルを用いてＰ−ＣＳＩの送信を行うことができる。
【００１８】
ＵＥは、Ａ−ＣＳＩ報告を行う場合、基地局からのＣＳＩトリガ（ＣＳＩ要求）に応じてＡ−ＣＳＩの送信を行う。例えば、ＵＥは、ＣＳＩトリガを受信してから所定タイミング（例えば、４サブフレーム）後にＡ−ＣＳＩ報告を行う。
【００１９】
基地局から通知されるＣＳＩトリガは、下り制御チャネルを用いて送信される上りリンクスケジューリンググラント（ＵＬグラント）用の下り制御情報（例えば、ＤＣＩフォーマット０／４）に含まれる。なお、ＵＬグラントは、ＵＬデータ（例えば、ＰＵＳＣＨ）送信及び／又はＵＬサウンディング（測定用）信号の送信をスケジューリングするＤＣＩであってもよい。
【００２０】
ＵＥは、当該ＵＬグラント用の下り制御情報に含まれるトリガに従って、ＵＬグラントで指定された上り共有チャネルを用いてＡ−ＣＳＩ報告を行う。また、ＣＡを適用する場合、ＵＥは、あるセルに対するＵＬグラント（Ａ−ＣＳＩトリガ含む）を他のセルの下り制御チャネルで受信することができる。
【００２１】
将来の無線通信システム（ＮＲとも呼ぶ）では、既存のＬＴＥシステムと異なる構成でＣＳＩ報告を行うことが検討されている。
【００２２】
既存のＬＴＥシステムでは、ＣＳＩ報告のトリガを動的に制御することがサポートされているが、ＮＲでは、ＣＳＩ測定又は報告に利用する参照信号（例えば、ＣＳＩ−ＲＳ）を動的にトリガすることが想定される。例えば、基地局は、ＤＣＩを用いて非周期的ＣＳＩ−ＲＳのトリガをＵＥに指示する。
【００２３】
一例として、基地局は、ＰＤＳＣＨのスケジューリングに利用されるＤＣＩフォーマット（例えば、ＤＣＩフォーマット１＿１）を利用して、ＣＳＩ−ＲＳが割当てられるリソース（ＣＳＩ−ＲＳリソース）をＵＥに通知する。ＣＳＩ−ＲＳは、送信電力がゼロに設定されるゼロパワーのＣＳＩ−ＲＳ（ZP  CSI-RS）であってもよい。
【００２４】
基地局は、ＤＣＩに含まれるビットフィールドのコードポイントを利用して、所定のＣＳＩ−ＲＳリソースセットＩＤをＵＥに通知してもよい。ＣＳＩ−ＲＳリソースセットの候補は、あらかじめ基地局からＵＥに上位レイヤ（例えば、ＲＲＣシグナリング等）で設定されてもよい。例えば、ＵＥは、ＤＣＩのコードポイントが“０１”である場合にＣＳＩ−ＲＳリソースセットＩＤ＃１がトリガされ、ＤＣＩのコードポイントが“１０”である場合にＣＳＩ−ＲＳリソースセットＩＤ＃２がトリガされ、ＤＣＩのコードポイントが“１１”である場合にＣＳＩ−ＲＳリソースセットＩＤ＃３がトリガされると判断してもよい。なお、ＣＳＩ−ＲＳリソースセットの通知に利用されるビットフィールドのビット数は２に限られない。
【００２５】
このように、ＣＳＩ−ＲＳリソースを準静的（semi  static）に割当てるのではなく、必要な場合に動的（dynamic）に割当てることにより、ＣＳＩ測定に利用するリソース割当てを柔軟に制御できると共に、リソースの利用効率を向上することができる。
【００２６】
一方で、ＣＳＩ−ＲＳリソース（例えば、ZP  CSI-RS  resource  set）が動的に割当てられる場合、当該ＣＳＩ−ＲＳリソースと他の信号又はチャネルが衝突するケースも考えられる。例えば、ＵＥに対して送信されるＣＳＩ−ＲＳリソースとＤＬデータ（例えば、ＰＤＳＣＨ）リソースが重なる場合が想定される。
【００２７】
かかる場合、一方（例えば、ＰＤＳＣＨ）にパンクチャ（puncture）処理又はレートマッチング（rate-matching）処理を行ってＰＤＳＣＨ及びＣＳＩ−ＲＳの少なくとも一方の受信処理を行うことが考えられる。
【００２８】
データをパンクチャ処理するとは、データ用に割り当てられたリソースを使えることを想定して（又は、使用できないリソース量を考慮しないで）符号化を行うが、実際に利用できないリソース（例えば、ＣＳＩ−ＲＳリソース）に符号化シンボルをマッピングしない（リソースを空ける）ことをいう。受信側では、当該パンクチャされたリソースの符号化シンボルを復号に用いないようにすることで、パンクチャによる特性劣化を抑制することができる。
【００２９】
データをレートマッチング処理するとは、実際に利用可能な無線リソースを考慮して、符号化後のビット（符号化ビット）の数を制御することをいう。実際に利用可能な無線リソースにマッピング可能なビット数よりも符号化ビット数が少ない場合、符号化ビットの少なくとも一部が繰り返されてもよい。当該マッピング可能なビット数よりも符号化ビット数が多い場合、符号化ビットの一部が削除されてもよい。
【００３０】
レートマッチング処理を行うことにより、実際に利用可能となるリソースで送信可能なビット数を考慮して符号化するため、パンクチャ処理と比較して効率的に符号化することができる。したがって、例えば、パンクチャ処理にかえてレートマッチング処理を適用することにより、より効率的に符号化を行い、高い品質で信号又はチャネルの生成が可能となるため、通信品質を向上することができる。
【００３１】
一方で、レートマッチング処理が適用される場合、受信側はレートマッチング処理がされていることを知らないと復調ができないが、パンクチャ処理が適用される場合、パンクチャ処理されたことを知らなくても受信動作を適切に行うことができる。
【００３２】
また、レートマッチング処理（例えば、レートマッチング処理を適用する送信処理又は受信処理）は、パンクチャ処理（例えば、レートマッチング処理を適用する送信処理又は受信処理）より処理負荷が高くなることが想定される。そのため、処理時間に余裕のない送受信にはパンクチャ処理を適用し、処理時間に余裕のある送受信にはレートマッチング処理を適用することが好ましい。
【００３３】
したがって、ＣＳＩ−ＲＳとＰＤＳＣＨが重複する場合、通信品質の観点からは一方（例えば、ＰＤＳＣＨ）にパンクチャ処理を行うことが考えられる。
【００３４】
ところで、複数のセル（又は、ＣＣ）を利用して通信を行う場合（例えば、ＣＡ）、ＤＣＩが送信されるセルと、当該ＤＣＩによりＣＳＩ−ＲＳ（又は、ＣＳＩ−ＲＳリソース）がトリガされるセルが異なるケースも考えられる（図１参照）。図１では、ＣＣ＃１で送信されるＤＣＩ＃１がＣＣ＃２のＣＳＩ−ＲＳをトリガ（又は、ＣＳＩ−ＲＳリソースの割当て）し、ＣＣ＃２で送信されるＤＣＩ＃２がＣＣ＃２のＰＤＳＣＨをスケジュールする場合の一例を示している。また、図１では、異なるセルでそれぞれ送信されるＤＣＩで指定されるＣＳＩ−ＲＳリソースとＰＤＳＣＨリソースが重複して設定される場合を示している。
【００３５】
このように、ＮＲでは、所定セルのＤＣＩでスケジュールされるＰＤＳＣＨリソースと、他のセルで送信されるＤＣＩでトリガされるＣＳＩ−ＲＳリソースとの重複が許容（又は、サポート）されることも考えられる。この場合、ＵＥは所定セルでスケジューリングされるＰＤＳＣＨを受信する際に、全てのセルで送信されるＤＣＩ（例えば、各セルのＤＣＩでＣＳＩ−ＲＳのトリガ（又は、ＣＳＩ−ＲＳリソースの割当て）有無）を考慮する必要がある。これにより、ＵＥは、ＣＳＩ−ＲＳとＰＤＳＣＨが重複する場合、ＰＤＳＣＨにレートマッチング処理を適用することが困難となる場合も生じる。
【００３６】
本発明者等は、ＣＳＩ−ＲＳをトリガするＤＣＩが送信されるセルと当該ＤＣＩによりＣＳＩ−ＲＳがトリガされるセルが異なるケース、又は、ＣＳＩ−ＲＳをトリガするＤＣＩとＰＤＳＣＨをスケジューリングするＤＣＩが異なるケースがある点を考慮して、ＣＳＩ−ＲＳが動的にトリガされる場合における適切なＵＥ動作及び基地局動作を着想した。
【００３７】
以下、本開示に係る実施形態について、図面を参照して詳細に説明する。各実施の態様は、それぞれ単独で適用されてもよいし、組み合わせて適用されてもよい。
【００３８】
本明細書において、「重複」は、複数の信号又はチャネルが同じリソース（例えば、周波数リソース及び時間リソースの少なくとも一つ）において送信される（スケジュールされる）ことを表すが、これに限られない。複数の信号又はチャネル同士の一部のリソースが重複する場合も含まれる。
【００３９】
以下の説明において、ＣＳＩ−ＲＳは、Ａ−ＣＳＩ−ＲＳ、ゼロパワーＣＳＩ−ＲＳ（ZP  CSI-RS）、又はノンゼロパワーＣＳＩ−ＲＳ（NZP  CSI-RS）と読み替えてもよい。
【００４０】
（第１の態様）
第１の態様は、ＰＤＳＣＨリソース（例えば、リソースエレメント（ＲＥ））と、Ａ−ＣＳＩ−ＲＳリソースが重複する場合に、所定条件に基づいてＰＤＳＣＨに対するレートマッチング処理の適用を制限する。
【００４１】
＜ＵＥ動作１−１＞
ＵＥは、ＣＳＩ−ＲＳをトリガするＤＣＩが送信されるＣＣ（又は、セル）と、当該ＣＳＩ−ＲＳがトリガされるＣＣが異なり、且つ当該ＣＳＩ−ＲＳとＰＤＳＣＨが同じリソースに設定される場合（ケース１）を想定する。この場合、ＵＥは、ＰＤＳＣＨはレートマッチング処理が適用されないと想定して受信処理を行ってもよい（図２参照）。
【００４２】
図２では、ＣＣ＃１で送信されるＤＣＩ＃１がＣＣ＃２のＣＳＩ−ＲＳをトリガ（又は、ＣＳＩ−ＲＳリソースの割当て）し、当該ＣＳＩ−ＲＳがＣＣ＃２で送信されるＰＤＳＣＨと重複する場合を示している。ＰＤＳＣＨは、ＣＣ＃２で送信されるＤＣＩ＃２でスケジューリングされてもよい。図２において、ＵＥは、ＣＳＩ−ＲＳと重複するＰＤＳＣＨ（例えば、ＣＳＩ−ＲＳと重複する部分）についてレートマッチング処理が適用されないと想定してＰＤＳＣＨの受信処理を行う。
【００４３】
この場合、ＵＥは、ＰＤＳＣＨはパンクチャ処理が適用されると想定して受信処理を行ってもよい。また、ＵＥは、ＤＣＩで通知されたＡ−ＣＳＩ−ＲＳリソース（例えば、ＰＤＳＣＨがパンクチャされたリソース）で送信されるＣＳＩ−ＲＳを利用してＣＳＩ測定及び報告を行ってもよい。
【００４４】
一方で、ＵＥは、ケース１以外の場合には、ＣＳＩ−ＲＳとＰＤＳＣＨが同じリソースに設定されてもＰＤＳＣＨはレートマッチング処理が適用されると想定して受信処理を行ってもよい（図３参照）。図３は、ＣＣ＃２で送信されるＤＣＩ＃２がＣＣ＃２のＣＳＩ−ＲＳをトリガ（又は、ＣＳＩ−ＲＳリソースの割当て）すると共に、ＣＣ＃２で送信されるＰＤＳＣＨをスケジュールする場合を示している。かかる場合、ＵＥは、ＰＤＳＣＨはレートマッチング処理が適用されると想定してＰＤＳＣＨとＣＳＩ−ＲＳの受信処理を行う。なお、ケース１以外の構成は図３に限られない。
【００４５】
これにより、ＣＳＩ−ＲＳとＰＤＳＣＨが同じリソースに設定された場合に常にパンクチャ処理を行う場合と比較して、ケース１以外の場合にレートマッチング処理を適用できるため、通信品質を向上することが可能となる。
【００４６】
なお、ケース１は、ＣＳＩ−ＲＳをトリガするＤＣＩが送信されるＣＣとＰＤＳＣＨをスケジューリングするＤＣＩが送信されるＣＣが異なり、且つ当該ＣＳＩ−ＲＳとＰＤＳＣＨが同じリソースに設定される場合としてもよい。あるいは、ケース１は、ＣＳＩ−ＲＳをトリガするＤＣＩとＰＤＳＣＨをスケジューリングするＤＣＩが異なり、且つ当該ＣＳＩ−ＲＳとＰＤＳＣＨが同じリソースに設定される場合としてもよい。
【００４７】
＜ＵＥ動作１−２＞
ＵＥがサポート又は報告したＵＥ能力（UE  capability）に基づいて、ＰＤＳＣＨに対するレートマッチング処理の適用を制御してもよい。例えば、ＵＥが所定のＵＥ能力情報を報告した場合を想定する。
【００４８】
所定のＵＥ能力情報は、クロスキャリアスケジューリングのサポート有無、及びＣＡに対するＤＬサーチスペースの共有のサポート有無の少なくとも一方であってもよい。例えば、同じニューメロロジーを適用するＣＣ間におけるクロスキャリアスケジューリングをサポートするＵＥは、その旨を基地局に通知する。また、ＣＡを適用する複数のＣＣについてＤＬサーチスペースを共有する（又は、共通のＤＬサーチスペースに複数ＣＣのＤＣＬを設定できる）の能力を有するＵＥは、その旨を基地局に通知する。
【００４９】
このようなＵＥ能力を具備するＵＥは、所定セルで送信（又は、トリガ）される信号又はチャネルが、他のセルのＤＣＩでスケジューリング（又は、トリガ）される場合であっても高い性能で受信処理を行うことができる。
【００５０】
所定のＵＥ能力を具備する場合、ＵＥは、ＣＳＩ−ＲＳとＰＤＳＣＨが同じリソースに設定された場合に、ＰＤＳＣＨはレートマッチング処理が適用されると想定して受信処理を行ってもよい。つまり、所定のＵＥ能力情報を報告した場合、ＣＳＩ−ＲＳをトリガするＤＣＩが送信されるセル、ＣＳＩ−ＲＳがトリガされるＣＣ、又はＰＤＳＣＨのスケジューリングに利用されるＤＣＩが送信されるセルに関わらず、ＰＤＳＣＨにレートマッチング処理を行ってもよい。
【００５１】
これにより、所定のＵＥ能力を具備するＵＥは、ＣＳＩ−ＲＳリソースとＰＤＳＣＨリソースが重複する場合であってもＰＤＳＣＨにレートマッチング処理が適用できるため、通信品質を向上することが可能となる。
【００５２】
一方で、ＵＥが所定のＵＥ能力を具備しない場合、上記ＵＥ動作１を行うように制御してもよい。
【００５３】
＜ＵＥ動作１−３＞
ＵＥがサポート又は報告したＵＥ能力（UE  capability）に対応する上位レイヤパラメータの設定有無に基づいて、ＰＤＳＣＨに対するレートマッチング処理の適用を制御してもよい。
【００５４】
例えば、ＵＥが所定のＵＥ能力情報を報告した場合を想定する。なお、所定のＵＥ能力情報は、ＵＥ動作２で示した能力情報と同じであってもよい。
【００５５】
ＵＥは、基地局から所定のＵＥ能力に対応する上位レイヤパラメータが設定された場合に、ＣＳＩ−ＲＳと同じリソースにスケジュールされるＰＤＳＣＨについてレートマッチング処理が適用されると想定して受信処理を行ってもよい。例えば、ＵＥは、クロスキャリアスケジューリングをサポートする旨を通知し、且つ当該クロスキャリアスケジューリングの制御について基地局から上位レイヤパラメータが設定された場合に、ＰＤＳＣＨにレートマッチング処理が適用されると想定する。
【００５６】
これにより、所定のＵＥ能力に対応する上位レイヤパラメータが設定されたＵＥは、ＣＳＩ−ＲＳリソースとＰＤＳＣＨリソースが重複する場合であってもＰＤＳＣＨにレートマッチング処理が適用できるため、通信品質を向上することが可能となる。
【００５７】
一方で、ＵＥは、所定のＵＥ能力に対応する上位レイヤパラメータが設定されない場合、上記ＵＥ動作１を行うように制御してもよい。
【００５８】
＜バリエーション１＞
ＣＳＩ−ＲＳをトリガするＤＣＩが送信されるセルと、当該ＣＳＩ−ＲＳがトリガされるセルが異なる場合、ＵＥは以下の通り動作してもよい。
【００５９】
ＵＥは、所定条件となる場合を除いて、ＣＳＩ−ＲＳ（例えば、ノンゼロパワーＣＳＩ−ＲＳ（ＮＺＰ  ＣＳＩ−ＲＳ））とＰＤＳＣＨが重複するリソースにおいて、ＰＤＳＣＨはレートマッチングされないと想定して受信処理を行う。これにより、ＵＥの処理負荷の増加を抑制できる。
【００６０】
所定条件となる場合は、重複リソースが、ＵＬ  ＤＣＩ（例えば、ＰＵＳＣＨのスケジュールに利用されるＤＣＩ）によりＣＳＩ−ＲＳがトリガされ、且つＵＬ  ＤＣＩが送信されるＰＤＣＣＨの時間領域の最後のシンボルがＰＤＳＣＨの最初のシンボルより少なくとも所定シンボル（例えば、１４シンボル）数だけ前に受信している場合に相当する。なお、シンボル数を判断する基準となるＳＣＳは、ＰＤＳＣＨとＰＤＣＣＨが送信されるＣＣの中で最も小さいＳＣＳとしてもよい。これにより、受信処理の時間を確保できる場合にはレートマッチング処理を適用して通信品質を向上できる。
【００６１】
あるいは、ＵＥは、ＰＤＳＣＨをスケジュールするＤＣＩ以外のＤＬ  ＤＣＩによりトリガ（又は、スケジューリング）されるＣＳＩ−ＲＳ（例えば、ＺＰ  ＣＳＩ−ＲＳ）リソースとＰＤＳＣＨが重複するリソースにおいて、ＰＤＳＣＨはレートマッチングされないと想定して受信処理を行う。
【００６２】
＜バリエーション２＞
ＣＳＩ−ＲＳをトリガするＤＣＩが送信されるセルと、当該ＣＳＩ−ＲＳがトリガされるセルが同じであり、且つ当該ＣＳＩ−ＲＳとＰＤＳＣＨのリソースが重複する場合、ＵＥは以下の通り動作してもよい。
【００６３】
ＵＥは、重複するリソースにおいてＰＤＳＣＨはレートマッチングされないと想定して受信処理を行ってもよい。この場合、ＵＥは、ＰＤＳＣＨはパンクチャされると想定してもよい。
【００６４】
あるいは、ＵＥは、所定条件となる場合を除いて、ＣＳＩ−ＲＳ（例えば、ＮＺＰ  ＣＳＩ−ＲＳ）とＰＤＳＣＨが重複するリソースにおいて、ＰＤＳＣＨはレートマッチングされないと想定して受信処理を行ってもよい。
【００６５】
所定条件となる場合は、重複リソースが、ＵＬ  ＤＣＩ（例えば、ＰＵＳＣＨのスケジュールに利用されるＤＣＩ）によりＣＳＩ−ＲＳがトリガされ、且つＵＬ  ＤＣＩが送信されるＰＤＣＣＨの時間領域の最後のシンボルがＰＤＳＣＨの最初のシンボルより少なくとも所定シンボル（例えば、７シンボル）数だけ前に受信している場合に相当する。なお、シンボル数を判断する基準となるＳＣＳは、ＰＤＳＣＨとＰＤＣＣＨが送信されるＣＣの中で最も小さいＳＣＳとしてもよい。
【００６６】
（第２の態様）
第２の態様は、所定ケースの場合に、ＣＳＩ−ＲＳとＰＤＳＣＨが同じリソースに設定されないように制御する。例えば、ＵＥは、所定ケースの場合に、ＣＳＩ−ＲＳとＰＤＳＣＨが同じリソースに設定されることを想定しない、又はＣＳＩ−ＲＳリソースとＰＤＳＣＨリソースが重複しないと想定してＰＤＳＣＨ及びＣＳＩ−ＲＳの受信を制御する。
【００６７】
所定ケースは、以下の（１）−（３）の少なくとも一つであってもよい。
（１）ＰＤＳＣＨをスケジューリングするＤＣＩと、ＣＳＩ−ＲＳをトリガするＤＣＩが異なるＣＣ（又は、セル）で送信される場合
（２）ＰＤＳＣＨをスケジューリングするＤＣＩと、ＣＳＩ−ＲＳをトリガするＤＣＩが異なる場合
（３）ＣＳＩ−ＲＳをトリガするＤＣＩが送信されるＣＣ（又は、セル）と、当該ＣＳＩ−ＲＳがトリガされるＣＣが異なる場合
【００６８】
ＵＥは、上記ケース（１）−（３）のいずれかの場合には、ＣＳＩ−ＲＳとＰＤＳＣＨが同じリソースに設定されないと想定して受信処理を行う。この場合、基地局は、上記ケース（１）−（３）において、ＣＳＩ−ＲＳとＰＤＳＣＨが同じリソースに設定されないようにＣＳＩ−ＲＳとＰＤＳＣＨのリソース割当てを制御する。
【００６９】
このように、所定ケースの場合にＣＳＩ−ＲＳとＰＤＳＣＨが同じリソースに設定されないように制御することにより、ＣＳＩ−ＲＳによりＰＤＳＣＨがパンクチャされることを抑制できる。これにより、ＵＥの動作を簡略化し、ＵＥの処理負荷を低減することができる。
【００７０】
なお、上記ケース（１）−（３）以外の場合には、ＣＳＩ−ＲＳとＰＤＳＣＨが同じリソースに設定される場合も生じる。かかる場合、ＵＥは、ＰＤＳＣＨはレートマッチング処理（又は、パンクチャ処理）が適用されると想定して、受信処理を行ってもよい。
【００７１】
一方で、ＵＥは、上記ケース（１）−（３）のいずれかにおいて、第１のＤＣＩでスケジューリングされるＰＤＳＣＨリソースと、第２のＤＣＩでトリガされるＣＳＩ−ＲＳリソースが重複する場合、以下のＵＥ動作（２−１〜２−４）の少なくとも一つを行うように制御してもよい。
【００７２】
＜ＵＥ動作２−１＞
ＵＥは、ＣＳＩ−ＲＳを測定（又は、受信）し、ＰＤＳＣＨの受信処理を行わないように制御する。この場合、ＵＥは、ＰＤＳＣＨをスケジューリングするＤＣＩを無視してもよい。
【００７３】
＜ＵＥ動作２−２＞
ＵＥは、ＰＤＳＣＨの受信処理を行い、ＣＳＩ−ＲＳの測定（又は、受信）を行わないように制御する。この場合、ＵＥは、ＣＳＩ−ＲＳをトリガするＤＣＩを無視してもよい。
【００７４】
＜ＵＥ動作２−３＞
ＵＥは、ＣＳＩ−ＲＳの測定（又は、受信）を行わず、ＰＤＳＣＨの受信処理も行わないように制御する。この場合、ＵＥは、ＰＤＳＣＨをスケジューリングするＤＣＩとＣＳＩ−ＲＳをトリガするＤＣＩを無視してもよい。
【００７５】
＜ＵＥ動作２−４＞
ＵＥは、ＣＳＩ−ＲＳを測定（又は、受信）し、ＰＤＳＣＨの受信処理も行うように制御する。この場合、ＰＤＳＣＨはパンクチャされると想定して受信処理を行ってもよい。
【００７６】
ＣＳＩ−ＲＳの測定を行わない場合（例えば、ＵＥ動作２−２、又は２−３）、ＵＥは、ＣＳＩ−ＲＳの測定結果（又は、ＣＳＩ−ＲＳ報告）を送信しないように制御してもよい。例えば、ＵＥは、ＣＳＩ−ＲＳの測定結果を、所定の報告結果に含めずに基地局に送信してもよい。所定の報告結果は、ビーム報告（beam  reporting）、ビーム障害検出（beam  failure  detection）、無線リンクモニタリング（RLM）、ＣＳＩメジャメント（CSI  measurement）、及び無線リソースマネジメント（RRM）の少なくとも一つの結果であってもよい。
【００７７】
あるいは、ＣＳＩ−ＲＳの測定を行わない場合（例えば、ＵＥ動作２−２、又は２−３）、ＵＥは、トリガされたＣＳＩ−ＲＳに基づかない値を測定したと想定して所定の報告結果に含めて送信してもよい。ＣＳＩ−ＲＳに基づかない値は、ＵＥが独自に算出した値であってもよく、例えば、前回測定した結果（例えば、最新の測定結果）、又は前回測定した結果に基づいて算出した値であってもよい。
【００７８】
ＣＳＩ−ＲＳの測定を行う場合（例えば、ＵＥ動作２−１、又は２−４）、ＵＥは、ＣＳＩ−ＲＳの測定結果（又は、ＣＳＩ−ＲＳ報告）を所定の報告結果に含めて送信してもよい。あるいは、所定の報告結果には含めずに送信してもよい。
【００７９】
ＰＤＳＣＨの受信を行わない場合、（例えば、ＵＥ動作２−１、又は２−３）、ＵＥは、当該ＰＤＳＣＨに対するＮＡＣＫを送信するように制御してもよい。ＵＥからのＮＡＣＫを受信した基地局は、ＰＤＳＣＨの再送を制御する。あるいは、ＵＥは、当該ＰＤＳＣＨに対するＮＡＣＫを送信しないように制御してもよい。この場合、基地局は、ＣＳＩ−ＲＳとＰＤＳＣＨのリソースが重複する場合にＵＥがＰＤＳＣＨを受信しないと想定してＰＤＳＣＨの再送を制御する。これにより、ＵＥ動作を簡略化することができる。
【００８０】
ＰＤＳＣＨの受信を行う場合、（例えば、ＵＥ動作２−２、又は２−４）、ＵＥは、当該ＰＤＳＣＨに対するＨＡＲＱ−ＡＣＫ（ＡＣＫ又はＮＡＣＫ）を送信するように制御してもよい。ＵＥからのＨＡＲＱ−ＡＣＫを受信した基地局は、ＰＤＳＣＨの再送を制御する。あるいは、ＵＥは、当該ＰＤＳＣＨに対するＨＡＲＱ−ＡＣＫを送信しないように制御してもよい。
【００８１】
このように、所定ケースの場合にＣＳＩ−ＲＳとＰＤＳＣＨが同じリソースに設定されないように制御することにより、ＵＥにおけるＣＳＩ−ＲＳとＰＤＳＣＨの受信処理を簡略化することができる。
【００８２】
（第３の態様）
第３の態様は、所定ケースの場合に、所定のプロセス時間（Process  time）を適用するように制御する。例えば、ＵＥは、所定ケースの場合と、当該所定ケース以外（他ケース）の場合とで、異なるプロセス時間を適用する。
【００８３】
所定ケースは、以下の（１）−（３）の少なくとも一つであってもよい。
（１）ＰＤＳＣＨをスケジューリングするＤＣＩと、ＣＳＩ−ＲＳをトリガするＤＣＩが異なるＣＣ（又は、セル）で送信される場合
（２）ＰＤＳＣＨをスケジューリングするＤＣＩと、ＣＳＩ−ＲＳをトリガするＤＣＩが異なる場合
（３）ＣＳＩ−ＲＳをトリガするＤＣＩが送信されるＣＣ（又は、セル）と、当該ＣＳＩ−ＲＳがトリガされるＣＣが異なる場合
【００８４】
プロセス時間は、ＵＥがＣＳＩ測定を行った後にＣＳＩ報告を行うまでの期間（例えば、シンボル）であってもよい。あるいは、ＣＳＩ−ＲＳリソースを受信してからＣＳＩ報告を行うまでの期間であってもよい。
【００８５】
例えば、ＵＥは、所定ケースの場合、他のケースより長いプロセス時間を適用してCＳＩ−ＲＳの測定及びＣＳＩ報告を制御してもよい。所定ケースの場合に適用するプロセス時間と、他ケース（例えば、通常ケース）の場合に適用するプロセス時間はテーブルに定義されてもよい。例えば、サブキャリア間隔毎にプロセス時間が定義されてもよい。
【００８６】
一例として、通常ケースに対して２種類のプロセス時間（例えば、Z(1)とZ’(1)）がサブキャリア間隔毎（例えば、１５ｋＨｚ、３０ｋＨｚ、６０ｋＨｚ、１２０ｋＨｚ）に定義されたテーブルを利用してもよい（図４参照）。また、所定ケースに対して少なくとも１種類のプロセス時間（例えば、Z’’(1)）がサブキャリア間隔毎に定義されたテーブルを利用してもよい（図４参照）。なお、図４における値は一例であり、これに限られない。
【００８７】
この場合、少なくとも一つのサブキャリア間隔において、所定ケースに適用するプロセス時間（例えば、Z’’(1)）を、通常ケースに適用するプロセス時間（例えば、Z(1)及びZ’(1)）より長く設定してもよい。例えば、図４において、Ｘ１を９又は１０より大きくし、Ｘ２を１３より大きくし、Ｘ３を２５より大きくし、Ｘ４を４３より大きくしてもよい。もちろん、Ｘ１−Ｘ４の値はこれに限られない。
【００８８】
なお、ＵＥが適用するプロセス時間は基地局から上位レイヤ（例えば、ＲＲＣシグナリング）及び下り制御情報の少なくとも一つを利用して設定してもよいし、ＵＥが自律的に選択してもよい。
【００８９】
あるいは、所定ケースのプロセス時間は、通常ケースのプロセス時間に基づいて決定してもよい。例えば、通常ケースの２種類のプロセス時間（例えば、Z(1)とZ`(1)）に加えて、当該２種類のプロセス時間に対応する所定ケースのプロセス時間（例えば、Ｘ、Ｘ’）を定義してもよい。この場合、少なくとも一つのサブキャリア間隔において、所定ケースに適用するプロセス時間を、通常ケースに適用するプロセス時間より長く設定してもよい。
【００９０】
このように、所定ケースのプロセス時間を他ケースのプロセス時間より長く設定することにより、ＣＳＩ−ＲＳをトリガするＤＣＩが送信されるセルと、当該ＣＳＩ−ＲＳがトリガされるセルが異なる場合であっても、多くのＵＥが適切にＣＳＩ報告を行うことが可能となる。
【００９１】
＜ＵＥ動作３−１＞
ＵＥは、十分なプロセス時間がある場合（例えば、プロセス時間が所定値以上の場合）、所定ケースにおけるＰＤＳＣＨはレートマッチング処理されると想定してもよい。一方で、ＵＥは、プロセス時間が所定値未満の場合、所定ケースにおけるＰＤＳＣＨのスケジュールを想定しなくてもよい。例えば、ＵＥは、ＰＤＳＣＨの受信を行わないように制御してもよいし、ＰＤＳＣＨをスケジュールしたＤＣＩを無視（ＤＣＩの受信を行わない）ように制御してもよい。
【００９２】
なお、ここでのプロセス時間は、上述したプロセス時間（Z(1)、Z’(1)、Z’’(1)、Ｘ、Ｘ’の少なくともいずれか）であってもよいし、他の動作（例えば、ＤＣＩを受信してからＰＤＳＣＨを受信するまでの動作）に対するプロセス時間であってもよい。
【００９３】
また、ＵＥは、ＣＳＩ−ＲＳの測定（又は、受信）は行うと想定してもよい。あるいは、ＵＥは、ＣＳＩ−ＲＳの測定（又は、受信）は行わないと想定してもよい。
【００９４】
＜ＵＥ動作３−２＞
ＵＥは、十分なプロセス時間がある場合（例えば、プロセス時間が所定値以上の場合）、所定ケースにおけるＰＤＳＣＨはレートマッチング処理されると想定してもよい。一方で、ＵＥは、プロセス時間が所定値未満の場合、所定ケースにおけるＰＤＳＣＨはレートマッチング処理がされないと想定してＰＤＳＣＨの受信を行うように制御してもよい。
【００９５】
なお、ここでのプロセス時間は、上述したプロセス時間（Z(1)、Z`(1)、Z``(1)、Ｘ、Ｘ`の少なくともいずれか）であってもよいし、他の動作（例えば、ＤＣＩを受信してからＰＤＳＣＨを受信するまでの動作）に対するプロセス時間であってもよい。
【００９６】
また、ＵＥは、ＣＳＩ−ＲＳは送信されないと想定してＰＤＳＣＨの受信処理（例えば、複合又は復調等）を行ってもよい。この場合、ＵＥは、ＣＳＩ−ＲＳをトリガするＤＣＩ（又は、ＤＣＫフィールド）を無視してもよい。
【００９７】
あるいは、ＵＥは、ＣＳＩ−ＲＳと重複するＰＤＳＣＨのリソースでは、ＰＤＳＣＨがパンクチャされると想定してＰＤＳＣＨの受信処理を行ってもよい。
【００９８】
このように、所定のプロセス時間に基づいて、ＰＤＳＣＨ及びＣＳＩ−ＲＳの少なくとも一方の受信処理を制御することにより、ＵＥの処理能力又は処理負荷を考慮して適切に受信処理を行うことができる。
【００９９】
（無線通信システム）
以下、本開示の実施形態に係る無線通信システムの構成について説明する。この無線通信システムでは、上記実施形態に示す無線通信方法の少なくとも一つ又はこれらの組み合わせを用いて通信が行われる。
【０１００】
図５は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０２】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity）をサポートしてもよい。ＭＲ−ＤＣは、ＬＴＥ（Ｅ−ＵＴＲＡ）の基地局（ｅＮＢ）がマスターノード（ＭＮ）となり、ＮＲの基地局（ｇＮＢ）がセカンダリーノード（ＳＮ）となるＬＴＥとＮＲとのデュアルコネクティビィティ（ＥＮ−ＤＣ：E-UTRA-NR  Dual  Connectivity）、ＮＲの基地局（ｇＮＢ）がＭＮとなり、ＬＴＥ（Ｅ−ＵＴＲＡ）の基地局（ｅＮＢ）がＳＮとなるＮＲとＬＴＥとのデュアルコネクティビィティ（ＮＥ−ＤＣ：NR-E-UTRA  Dual  Connectivity）等を含んでもよい。
【０１０３】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１０４】
ユーザ端末２０は、基地局１１及び基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１０５】
ユーザ端末２０と基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と基地局１２との間は、相対的に高い周波数帯域（例えば、３．５ＧＨｚ、５ＧＨｚなど）で帯域幅が広いキャリアが用いられてもよいし、基地局１１との間と同じキャリアが用いられてもよい。なお、各基地局が利用する周波数帯域の構成はこれに限られない。
【０１０６】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１０７】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。
【０１０８】
例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１０９】
基地局１１と基地局１２との間（又は、２つの基地局１２間）は、有線（例えば、ＣＰＲＩ（Common  Public  Radio  Interface）に準拠した光ファイバ、Ｘ２インターフェースなど）又は無線によって接続されてもよい。
【０１１０】
基地局１１及び各基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各基地局１２は、基地局１１を介して上位局装置３０に接続されてもよい。
【０１１１】
なお、基地局１１は、相対的に広いカバレッジを有する基地局であり、マクロ基地局、集約ノード、ｅＮＢ（eNodeB）、送受信ポイント、などと呼ばれてもよい。また、基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１及び１２を区別しない場合は、基地局１０と総称する。
【０１１２】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１３】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１４】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１５】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１１６】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１１７】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１１８】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１１９】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２０】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２１】
＜基地局＞
図６は、一実施形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２２】
下りリンクによって基地局１０からユーザ端末２０に送信されるユーザデータは、上位局装置３０から伝送路インターフェース１０６を介してベースバンド信号処理部１０４に入力される。
【０１２３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２５】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２６】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、基地局１０の状態管理、無線リソースの管理などを行う。
【０１２７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の基地局１０と信号を送受信（バックホールシグナリング）してもよい。
【０１２８】
なお、送受信部１０３は、アナログビームフォーミングを実施するアナログビームフォーミング部をさらに有してもよい。アナログビームフォーミング部は、本開示に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦなどを適用できるように構成されてもよい。
【０１２９】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１３０】
送受信部１０３は、上記各実施形態で述べた各種情報を、ユーザ端末２０から受信及び／又はユーザ端末２０に対して送信してもよい。例えば、送受信部１０３は、下り共有チャネルとチャネル状態情報（ＣＳＩ）用参照信号を送信する。また、送受信部１０３は、下り共有チャネルをスケジューリングするＤＣＩと、ＣＳＩ用参照信号をトリガするＤＣＩを送信する。
【０１３１】
図７は、一実施形態に係る基地局の機能構成の一例を示す図である。なお、本例では、本実施の形態における特徴部分の機能ブロックを主に示しており、基地局１０は、無線通信に必要な他の機能ブロックも有すると想定されてもよい。
【０１３２】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、基地局１０に含まれていればよく、一部又は全部の構成がベースバンド信号処理部１０４に含まれなくてもよい。
【０１３３】
制御部（スケジューラ）３０１は、基地局１０全体の制御を実施する。制御部３０１は、本開示に係る技術分野での共通認識に基づいて説明されるコントローラ、制御回路又は制御装置から構成することができる。
【０１３４】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３５】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１３６】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１３７】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１３８】
制御部３０１は、所定ケース（例えば、下り共有チャネルをスケジュールする第１の下り制御情報とＣＳＩ−ＲＳをトリガする第２の下り制御情報を異なるセルで送信する場合等）において、下り共有チャネル用のリソースとＣＳＩ−ＲＳのリソースが重複しないように制御してもよい。
【０１３９】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１４０】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。各種のＣＳＩ報告はＰＵＣＣＨ、ＰＵＳＣＨを介して受信される。
【０１４１】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１４２】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１４３】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４４】
測定部３０５は、受信した信号に関する測定を実施する。測定部３０５は、本開示に係る技術分野での共通認識に基づいて説明される測定器、測定回路又は測定装置から構成することができる。
【０１４５】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４６】
＜ユーザ端末＞
図８は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４７】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４８】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４９】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５０】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５１】
送受信部２０３は、下り共有チャネルとチャネル状態情報（ＣＳＩ）用参照信号を受信する。また、送受信部２０３は、下り共有チャネルをスケジューリングするＤＣＩと、ＣＳＩ用参照信号をトリガするＤＣＩを受信する。
【０１５２】
図９は、一実施形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１５３】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５４】
制御部４０１は、ユーザ端末２０全体の制御を実施する。制御部４０１は、本開示に係る技術分野での共通認識に基づいて説明されるコントローラ、制御回路又は制御装置から構成することができる。
【０１５５】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５６】
制御部４０１は、基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５７】
制御部４０１は、下り共有チャネルのスケジュールに利用される第１の下り制御情報とＣＳＩ用参照信号のトリガに利用される第２の下り制御情報とがそれぞれ送信されるセル、第２の下り制御情報と前記ＣＳＩ用参照信号がそれぞれ送信されるセル、及び第１の下り制御情報と第２の下り制御情報によりそれぞれ指定されるリソース、の少なくとも一つに基づいて下り共有チャネルの受信処理を制御してもよい。
【０１５８】
例えば、制御部４０１は、第２の下り制御情報が送信されるセルと第２の下り制御情報に基づいてＣＳＩ用参照信号がトリガされるセルが異なり、下り共有チャネルとＣＳＩ用参照信号のリソースが重複する場合、下り共有チャネルがレートマッチングされないと想定して受信処理を制御してもよい。
【０１５９】
また、制御部４０１は、所定のＵＥ能力のサポート有無、又は所定のＵＥ能力に対する基地局からの設定有無に基づいて、下り共有チャネルのレートマッチング有無を判断してもよい。また、制御部４０１は、第１の下り制御情報と第２の下り制御情報が異なるセルで送信される場合、下り共有チャネル用のリソースとＣＳＩ用参照信号用のリソースが重複しないと想定してもよい。
【０１６０】
また、制御部４０１は、異なるセルで送信される第１の下り制御情報と第２の下り制御情報が重複するリソースを指定する場合、又は別々に送信される第１の下り制御情報と第２の下り制御情報が重複するリソースを指定する場合に、設定されるプロセス時間に基づいて受信処理を制御してもよい。
【０１６１】
また、制御部４０１は、ＣＳＩ−ＲＳとＰＤＳＣＨが同じリソースに設定されないように制御される構成において、下り共有チャネルのスケジュールに利用される第１の下り制御情報とＣＳＩ用参照信号のトリガに利用される第２の下り制御情報とが異なるセルで送信され且つ第１の下り制御情報と第２の下り制御情報でそれぞれ指定されるリソースが重複する場合、下り共有チャネルの受信及びＣＳＩ用参照信号を利用した測定の少なくとも一方を行わないように制御してもよい。
【０１６２】
例えば、制御部４０１は、第１の下り制御情報及び第２の下り制御情報の少なくとも一方を無視してもよい。また、制御部４０１は、ＣＳＩ用参照信号を利用した測定を行わない場合、ＣＳＩ用参照信号を用いずに算出した値を報告するように制御してもよい。
【０１６３】
あるいは、制御部４０１は、ＣＳＩ−ＲＳとＰＤＳＣＨが同じリソースに設定されないように制御される構成において、下り共有チャネルのスケジュールに利用される第１の下り制御情報とＣＳＩ用参照信号のトリガに利用される第２の下り制御情報とが異なるセルで送信され且つ第１の下り制御情報と第２の下り制御情報でそれぞれ指定されるリソースが重複する場合、下り共有チャネルの受信及びＣＳＩ用参照信号を利用した測定の両方を行うように制御してもよい。
【０１６４】
また、制御部４０１は、設定されるプロセス時間に基づいて下り共有チャネルのレートマッチング有無を判断してもよい。
【０１６５】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１６６】
送信信号生成部４０２は、例えば、制御部４０１からの指示に基づいて、送達確認情報、チャネル状態情報（Ｐ−ＣＳＩ、Ａ−ＣＳＩ、ＳＰ−ＣＳＩ）などに関する上り制御信号を生成する。また、送信信号生成部４０２は、制御部４０１からの指示に基づいて上りデータ信号を生成する。例えば、送信信号生成部４０２は、基地局１０から通知される下り制御信号にＵＬグラントが含まれている場合に、制御部４０１から上りデータ信号の生成を指示される。
【０１６７】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１６８】
受信信号処理部４０４は、送受信部２０３から入力された受信信号に対して、受信処理（例えば、デマッピング、復調、復号など）を行う。ここで、受信信号は、例えば、基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６９】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７０】
測定部４０５は、受信した信号に関する測定を実施する。測定部４０５は、本開示に係る技術分野での共通認識に基づいて説明される測定器、測定回路又は測定装置から構成することができる。
【０１７１】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７２】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit/section）、送信機（transmitter）などと呼称されてもよい。いずれも、上述したとおり、実現方法は特に限定されない。
【０１７４】
例えば、本開示の一実施形態における基地局、ユーザ端末などは、本開示の無線通信方法の処理を行うコンピュータとして機能してもよい。図１０は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７５】
なお、以下の説明では、「装置」という文言は、回路、デバイス、ユニットなどに読み替えることができる。基地局１０及びユーザ端末２０のハードウェア構成は、図に示した各装置を１つ又は複数含むように構成されてもよいし、一部の装置を含まずに構成されてもよい。
【０１７６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的に又は論理的に分離された実装がなされてもよい。
【０１８３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８５】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８６】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８８】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９２】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２００】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０２】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２０３】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２０４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２０５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２０８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１０】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１１】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１７】
本開示において使用する「システム」及び「ネットワーク」という用語は、互換的に使用され得る。
【０２１８】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２１９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２２０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２３】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２２４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２５】
同様に、本開示におけるユーザ端末は、基地局で読み替えてもよい。この場合、上述のユーザ端末２０が有する機能を基地局１０が有する構成としてもよい。
【０２２６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２８】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３４】
また、「判断（決定）」は、「想定する（assuming）」、「期待する（expecting）」、「みなす（considering）」などで読み替えられてもよい。
【０２３５】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３６】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３７】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３８】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３９】
本開示において、例えば、英語でのa,  an及びtheのように、翻訳によって冠詞が追加された場合、本開示は、これらの冠詞の後に続く名詞が複数形であることを含んでもよい。
【０２４０】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020035953.tif 000003
【図２】
2020035953.tif 000004
【図３】
2020035953.tif 000005
【図４】
2020035953.tif 000006
【図５】
2020035953.tif 000007
【図６】
2020035953.tif 000008
【図７】
2020035953.tif 000009
【図８】
2020035953.tif 000010
【図９】
2020035953.tif 000011
【図１０】
2020035953.tif 000012
【国際調査報告】
2020035953.tif 000013
2020035953.tif 000014
2020035953.tif 000015
2020035953.tif 000016